(57)【要約】【課題】クラブ・ヘッドへの取り付けおよび取り外しが比較的単純なゴルフ・クラブのヘッド・カバーを提供する。【解決手段】ヘッド・カバーは、基本的に可撓性で非剛性の材料で形成したカバー本体と、磁気締結具とを含む。特に、カバー本体は、容易なアクセスを提供するようサイズ決定され、調節可能な開口を有するゴルフ・クラブの少なくともヘッドを受ける内部区画を画定する。磁気締結具が、開口の周囲に配置され、少なくとも部分的に開口を閉鎖し、それによりヘッド・カバーを取り付けたら、これをクラブ・ヘッド上に維持する。締結具は磁力で操作可能であるので、締結具の係合および係合解除が、過度の操作をせずに達成され、それによりヘッド・カバーの頻繁な使用が促進される。【選択図】図１
2005034650.tif 000002
【特許請求の範囲】
【請求項１】
ゴルフ・クラブのヘッド・カバーで、
基本的に可撓性で非剛性の材料で形成されたカバー本体を備え、カバー本体が、ゴルフ・クラブのヘッドを収容する内部区画を画定して、内部区画にゴルフ・クラブのヘッドを挿入し、そこから取り出すために十分なサイズの開口を画定し、さらに、
開口の周囲に配置され、少なくとも部分的に開口を閉鎖する磁気締結具を備えるヘッド・カバー。
【請求項２】
カバー本体が、開口の周囲に配置されたフラップと、開口の周囲に配置され、フラップから隔置された締結具領域とを含み、
磁気締結具が、フラップに配置された第１磁石と、締結具領域に配置された第２磁石とを含み、したがって第１磁石と第２磁石が相互に係合して、少なくとも部分的に開口を閉鎖する、請求項１に記載のヘッド・カバー。
【請求項３】
磁気締結具が、それぞれカバー本体の開口の周囲に配置され、対応する細長い縁に配置された第１および第２磁気細片を含み、
第１および第２磁気細片が、相互に係合して、少なくとも部分的に開口を閉鎖することができる、請求項１に記載のヘッド・カバー。
【請求項４】
磁気細片がそれぞれ複数の磁石を備える、請求項３に記載のヘッド・カバー。
【請求項５】
磁気細片がそれぞれ、順応性スリーブに配置された少なくとも４つの磁石を備える、請求項４に記載のヘッド・カバー。
【請求項６】
カバー本体が、クッション付きの内部ライナおよび外部カバーを備える、請求項１に記載のヘッド・カバー。
【請求項７】
カバー本体が、係合時に少なくとも部分的に開口を画定する開口の対向側部に配置された１対の細長い縁を含み、
磁気締結具が、カバー本体の細長い縁に配置された１対の磁気細片を含み、したがって第１および第２磁気細片が相互に係合して、少なくとも部分的に開口を閉鎖する、請求項６に記載のヘッド・カバー。
【請求項８】
ヘッド・カバーがさらに、外部カバーによって画定されたパイピング内に配置された金属ワイヤを備える、請求項６に記載のヘッド・カバー。
【請求項９】
カバー本体が、開口の周囲に配置されたフラップを含み、開口の周囲に配置されて、フラップから隔置された磁気領域を有し、
磁気締結具が、フラップに配置された第１磁石と、磁気領域に配置された第２磁石とを含み、したがって第１および第２磁石が相互に係合して、少なくとも部分的に開口を閉鎖する、請求項６に記載のヘッド・カバー。
【請求項１０】
ゴルフ・クラブのヘッド・カバーで、
内部ライナおよび外部カバーを有するカバー本体を備え、これら内部カバーおよび外部カバーは両方とも基本的に可撓性の非剛性材料で形成され、ゴルフ・クラブのヘッドを収容する区画を画定し、内部区画にゴルフ・クラブのヘッドを挿入し、そこから取り出すのに十分なサイズの開口を画定し、さらに、
開口に隣接して相互から隔置された第１および第２磁石部分を有する磁気締結具を備え、したがって第１および第２磁石部分が相互に係合して、少なくとも部分的に開口を閉鎖することができるヘッド・カバー。
【請求項１１】
カバー本体が、
開口の周囲に配置され、自身に配置された第１磁石部分を有するフラップと、
開口の周囲に配置され、フラップから隔置され、自身内に配置された第２磁石部分を有する締結具領域とを含み、
フラップが締結具領域と重なり、したがって第１および第２磁石が相互に係合して、少なくとも部分的に開口を閉鎖する、請求項１０に記載のヘッド・カバー。
【請求項１２】
カバー本体が、係合解除時に少なくとも部分的に開口を画定する開口の対向側部に配置された１対の細長い縁を備え、
第１および第２磁石部分が、カバー本体の細長い縁に配置された磁気細片であり、したがって磁気細片が相互に係合して、少なくとも部分的に開口を固定することができる、請求項１０に記載のヘッド・カバー。
【請求項１３】
磁気細片がそれぞれ複数の磁石を備える、請求項１２に記載のヘッド・カバー。
【請求項１４】
磁気細片がそれぞれ、熱収縮管に配置された複数の磁石を備える、請求項１２に記載のヘッド・カバー。
【請求項１５】
細長い縁の対が、内部ライナおよび外部カバーに取り付けた１対の弾性コードによって画定され、弾性コードが、自身内に配置された磁気細片を有する、請求項１４に記載のヘッド・カバー。
【発明の詳細な説明】
【技術分野】
【０００１】
本発明は概ねゴルフ・クラブの保護に、特にゴルフ・クラブのヘッド・カバーに関する。
【背景技術】
【０００２】
ゴルフ・クラブの適切な手入れは、その有効寿命を最大にするためにも、その性能を維持するためにも必要である。適切な手入れの重要な態様は、使用していない時にゴルフ・クラブのヘッドを覆っておくことを含む。クラブがゴルフ・バッグ内で相互に打ち当たりやすいからである。適切に覆わないと、クラブのヘッドおよびシャフトに損傷を与えることがある。したがって、ヘッド・カバーが広く使用されている。
【０００３】
カバーは通常、ゴルフ・クラブ・ヘッドを収納するための小袋形の上部分と、そこから延在し、シャフトを収容するようサイズ決定された狭窄部分とを含む。上部分は通常、合成皮革などの可撓性材料で作成し、尾部分は、ゴルフ・クラブ・ヘッドの場合に拡大および縮小する編み物構造である。尾部分が編んであるので、制限された範囲までしか拡張せず、小袋形の上部分と比較して比較的細いが、ゴルフ・クラブ・ヘッドが通過できるのに十分なほど大きくなければならない。
【０００４】
このような以前のカバーは一般的に効果的であるが、欠点が存在する。例えば、このようなヘッド・カバーは、取り付けおよび取り外しが困難なことがある。その結果、ゴルファはこれを杜撰に使用する傾向がある。これは必然的にクラブを追加的な損傷に曝し、クラブの寿命を短縮させる。以前のヘッド・カバーには、クラブ・ヘッドへの容易なアクセスを促進するために拡大した開口を組み込んだものもあるが、このようなヘッド・カバーは、ゴルフ・クラブへの固定が低下することがある。このようなヘッド・カバーは、操作するのに多少の注意および精密さを必要とする締め付けアセンブリも組み込むことができるが、そのため頻繁な使用を妨げる。
【発明の開示】
【発明が解決しようとする課題】
【０００５】
したがって、クラブ・ヘッドへの取り付けおよび取り外しが比較的単純なゴルフ・クラブのヘッド・カバーに対する要求が存在することを理解されたい。本発明はこの要求およびその他を満たす。
【課題を解決するための手段】
【０００６】
本発明は、基本的に可撓性、非剛性で形成されたカバー本体と、磁気締結具とを有するヘッド・カバーを提供する。特に、カバー本体は、クラブ・ヘッドを受ける内部区画を画定し、容易なアクセスを提供するようサイズ決定された内部区画への調節自在の開口を画定する。カバー本体には、クッション付きの内部ライナーおよび外部カバーを設けることができる。磁気締結具は、開口の周囲に配置され、少なくとも部分的に開口を閉鎖し、それによってヘッド・カバーが取り付けられたら、これをクラブ・ヘッド上に維持するよう構成される。締結具は磁力を介して操作可能であるので、締結具の係合および係合解除は過度の操作をせずに達成される。したがって、クラブ・ヘッドの頻繁な使用が促進される。
【０００７】
本発明の好ましい実施形態では、カバー本体は、開口の周囲に配置されたフラップ、および開口の周囲でフラップから隔置された締結具領域を含む。磁気締結具の第１磁石がフラップ内に配置され、第２磁石が締結具領域に配置される。フラップは、第１磁石と第２磁石が相互に係合し、少なくとも部分的に開口を閉鎖するよう、締結具領域と重なるよう構成することが好ましい。
【０００８】
本発明の別の好ましい実施形態では、磁気締結具は第１および第２磁気細片を含み、これはそれぞれカバー本体の開口の周囲に配置された対応する細長い縁に配置され、したがって第１および第２磁気細片は相互に係合して、少なくとも部分的に開口を閉鎖することができる。
【０００９】
好ましい実施形態の詳細な態様では、磁気細片はそれぞれ複数の磁石を備え、これは熱収縮管などの順応性スリーブ内に配置することが好ましい。カバー本体の細長い縁は、内部ライナおよび外部カバーに取り付けた１対の弾性コードによって画定することができ、磁気細片はその中に配置することができる。
【００１０】
本発明、および先行技術に対して達成される利点を要約する目的で、本発明の特定の利点を本明細書で説明してきた。言うまでもなく、本発明の特定の実施形態により、このような利点の全てを達成する必要がないことを理解されたい。したがって、例えば当業者には、本明細書で教示または示唆したような他の利点を必ずしも達成することなく、本明細書で教示したような１つの利点または利点のグループを達成または最適化する方法で、本発明を実現または実行できることが認識される。
【００１１】
このような実施形態は全て、本明細書で開示する本発明の範囲に入るものとする。本発明の以上およびその他の実施形態は、添付図面に関する好ましい実施形態の以下の詳細な説明から当業者には容易に明白になり、本発明は開示された特定の好ましい実施形態に制限されるものではない。
【００１２】
次に、本発明の実施形態を例示によってのみ図面に関して説明する。
【発明を実施するための最良の形態】
【００１３】
例示的図を、特に図１を参照すると、概ねクラブ・ヘッドを順応可能な状態で受けるようサイズ決定されたゴルフ・クラブのヘッド・カバー１０が図示されている。ヘッド・カバーは、クラブ・ヘッドの内部区画を形成する上端部１２と、ゴルフ・クラブのシャフトの周囲を包むようサイズ決定された開口１６を画定する下端部１４とを含む。位置合わせした長手方向縁２０によって形成された細長い締結具１８が、ヘッド・カバーの下端部からその上部分に向かって延在する。各長手方向縁は、その長さに沿って中空のコード２４を含む。磁気細片２６（図３）がコード内に配置され、それによって磁力で締結具を操作する。締結具が係合した状態で、ヘッド・カバーはゴルフ・クラブにしっかり取り付けられる。締結具が係合解除した状態で（図２参照）、開口が拡大し、ゴルフ・クラブの周囲へのヘッド・カバーの容易な取り付けおよび取り外しを促進する。さらに、締結具が磁力で操作可能であるので、締結具の係合および係合解除は、過度な操作をせずに達成され、それによりヘッド・カバーの頻繁な使用が促進される。
【００１４】
次に図３および図４を参照すると、磁気細片２６はそれぞれ、順応性スリーブ３０内に結合された複数の磁石２８を備える。例示的実施形態では、磁石は概ね円筒形で、約６ｍｍの長さ（Ｌ）および約０．５ｍｍの直径（ｄ）を有する。また、順応性スリーブは、熱収縮管で形成され、磁石はその中で相互から約４ｍｍ隔置される。この実施形態では、細片ごとに約２３個の磁石を使用する。あるいは、各磁気細片が１つの細長い磁石を備えるか、様々な形状の複数の磁石を使用することができる。例えば、長手方向縁２０に沿って４つの円筒形磁石を隔置することができる。
【００１５】
各磁気細片２６は、コード２４によって長手方向縁２０沿いの所定の位置に保持される。コードは弾性材料で形成され、図４に示すように、縫合３６によって内部ライナ３２および外部カバー３４の両方に結合される。ヘッド・カバー１０は、可撓性で非剛性の材料で形成することが好ましい。内部ライナは、例えば木綿、詰め物を入れたベルベットなどの、クラブ・ヘッドに対して非研磨性の軟質で可撓性の材料で形成する。外部カバーも可撓性材料で形成するが、外部カバーの材料は、カバー・ヘッドに多少の構造的整合性をさらに提供するよう選択することができる。外部カバー用の材料の例には、皮革および合成ゴム（例えばネオプレーン）がある。他の実施形態では、カバー本体の周囲で剛性支持体を隔置し、クラブ・ヘッドを保護したり、カバー本体に形状を提供したりすることを補助することができる。例えば、ヘッド・カバーは、外部カバー内に画定されたパイピング３７（図２）内に配置された金属ワイヤ（図示せず）を含んでもよい。
【００１６】
次に図５を参照すると、パタータイプのゴルフ・クラブで使用するよう構成されたヘッド・カバー５０が図示されている。ヘッド・カバーは、上述したものと同様の構成を有する磁気締結具５２を含む。締結具が係合解除した状態で、ヘッド・カバーは細長い開口５４を提供し、これによりパター・ヘッドに容易にアクセスすることができる。締結具は２つの磁気細片５６を含み、それぞれが位置合わせした縁５８の一部に配置される。他の実施形態では、磁気細片は、位置合わせした縁のほぼ全長に配置することもできる。ヘッド・カバーは、クラブ・ヘッドに対するシャフトの位置に対応して配置されたスロット６０を画定する。例示的実施形態では、スロットは、中心ホーゼルを有するパターで使用するため、中心に配置される。にもかかわらず、様々なウッド、アイアンおよびウェッジを含む様々な他のクラブ・ヘッドの形状に対応するよう、他の実施形態を構成することができる。
【００１７】
図６は、ヘッド・カバー７０の別の好ましい実施形態を示す。この実施形態では、ヘッド・カバーは、磁石７４を有するフラップ７２を含み、これはヘッド・カバーの第１磁石と位置合わせされた第２磁石（図示せず）を有する締結具部分７６と重なり、締結具８０を形成する。この実施形態の磁石は円筒形で、約１５ｍｍの直径および約３ｍｍの厚さを有し、ヘッド・カバーの外部カバー８４と内部ライナ８６との間に形成されたポケット内に配置される。例示的実施形態は、パタータイプのゴルフ・クラブ用に構成されるが、磁気フラップ締結具を組み込んだ実施形態は、ウッド、アイアンおよびウェッジを含む他の様々なクラブ・ヘッドの形状に対応するよう構成することができる。
【００１８】
以上から、本発明は、比較的単純に使用されるゴルフ・クラブのヘッド・カバーを提供することを理解されたい。ヘッド・カバーは、基本的に可撓性で非剛性の材料で形成されたカバー本体と、磁気締結具とを含む。特に、カバー本体は、容易なアクセスを提供するようサイズ決定され、調節可能な開口を有するゴルフ・クラブの少なくともヘッドを受ける内部区画を画定する。磁気締結具が開口の周囲に配置されて、少なくとも部分的に開口を閉鎖し、これによってヘッド・カバーを取り付けたら、これをクラブ・ヘッド上に維持する。締結具は磁力を介して操作可能であるので、締結具の係合および係合解除は、過度の操作をせずに達成され、それによってヘッド・カバーの頻繁な使用が促進される。
【００１９】
本発明を、好ましい実施形態のみに関して詳細に開示してきたが、本発明の範囲から逸脱することなく、ゴルフ・クラブの追加的なヘッド・カバーを含むことが可能であることが当業者には理解される。したがって、本発明は請求の範囲によってのみ定義される。
【図面の簡単な説明】
【００２０】
【図１】本発明によるヘッド・カバーの第１の好ましい実施形態の前面図であり、ヘッド・カバーに沿って長手方向に延在する閉じた構成で細長い締結具を示す。
【図２】図１のヘッド・カバーの前斜視図であり、部分的に係合解除した細長い締結具を示す。
【図３】図２の区域Ａからの細長い締結具の一部の拡大断面図であり、カバー・ヘッドのコード内に配置された磁気スリーブを示す。
【図４】図３の線Ｂ−Ｂに沿って見た断面図であり、図１のヘッド・カバーの締結具の一部を示す。
【図５】本発明によるヘッド・カバーの第２の好ましい実施形態の斜視図であり、細長い締結具、およびパタータイプのゴルフ・クラブ用に構成されたカバー本体を有するヘッド・カバーを示す。
【図６】本発明によるヘッド・カバーの第３の好ましい実施形態の斜視図であり、パタータイプのゴルフ・クラブ用のフラップ締結具およびカバー本体を有するヘッド・カバーを示す。
【符号の説明】
【００２１】
１０  ヘッド・カバー
１２  上端部
１４  下端部
１６  開口
１８  締結具
２０  長手方向縁
２４  コード
２６  磁気細片
２８  磁石
３０  スリーブ
３２  内部ライナ
３４  外部カバー
３６  縫合
３７  パイピング
５０  ヘッド・カバー
５２  磁気締結具
５４  開口
５６  磁気細片
５８  縁
６０  スロット
７０  ヘッド・カバー
７２  フラップ
７４  磁石
７６  締結具部分
８０  締結具
８４  外部カバー
８６  内部ライナ
【図１】
2005034650.tif 000003
【図２】
2005034650.tif 000004
【図３】
2005034650.tif 000005
【図４】
2005034650.tif 000006
【図５】
2005034650.tif 000007
【図６】
2005034650.tif 000008